(57)【要約】【課題】ホンダワラ類の藻場造成や養殖に適した良質な海藻の種苗を生産する。【解決手段】受精卵から繊維状の仮根６が伸長して、付着器表層細胞が形成される前、もしくは付着器表層細胞が形成され始めた直後のホンダワラ類の幼体５を一次着生基質７に固定する。【選択図】図４
2010110243.tif 000002
【特許請求の範囲】
【請求項１】
受精卵から繊維状の仮根が伸長して、付着器表層細胞が形成される前、もしくは付着器表層細胞が形成され始めた直後のホンダワラ類の幼体を一次着生基質に固定することを特徴とする海藻種苗の生産方法。
【請求項２】
前記一次着生基質に固定されたホンダワラ類の幼体を、さらに一次着生基質ごと二次着生基質に固定することを特徴とする請求項１記載の海藻種苗の生産方法。
【請求項３】
前記一次着生基質または前記二次着生基質に固定したホンダワラ類の幼体の付着器が、それぞれ一次着生基質または二次着生基質に活着する工程を含むことを特徴とする請求項１または請求項２記載の海藻種苗の生産方法。
【請求項４】
受精卵から繊維状の仮根が伸長して、付着器表層細胞が形成される前、もしくは付着器表層細胞が形成され始めた直後のホンダワラ類の幼体を一次着生基質に固定し、
前記一次着生基質に固定したホンダワラ類の幼体を、仮根や付着器表層細胞が一次着生基質に活着するまで培養し、
上記幼体が活着した一次着生基質を二次着生基質に固定し、
二次着生基質に固定された幼体の付着器が二次着生基質に活着するまで培養する
ことを特徴とする海藻種苗の生産方法。
【請求項５】
一次着生基質が撚り糸または組み糸であり、この糸の繊維の間に幼体の仮根を挟み込んで固定することを特徴とする請求項１から請求項４のいずれか１項記載の海藻種苗の生産方法。
【請求項６】
二次着生基質が板状であり、この二次着生基質に設けた固定部に一次着生基質を固定することを特徴とする請求項２から請求項４のいずれか１項記載の海藻種苗の生産方法。
【発明の詳細な説明】
【技術分野】
【０００１】
本発明は、海藻、例えばホンダワラ類を増養殖するための種苗を生産する方法に関するものである。なお本発明でのホンダワラ類とは、褐藻類ホンダワラ科の海藻で、分類学的には「ヒバマタ目植物」の総称を意味するものであり、例えばスギモク、ウガノモク、ヤバネモク、ジョロモク、フシスジモク、アカモク、ヤツマタモク、ヨレモク、ノコギリモク等がある。
【背景技術】
【０００２】
大型の褐藻であるホンダワラ類が繁茂する藻場は、有用魚介類に摂餌場所、隠れ場、産卵場所や仔稚の生育場所を提供するだけでなく、海域の栄養塩類を吸収することで水質浄化にも寄与していることが知られており、各地でホンダワラ類の藻場造成が積極的に試みられている。
【０００３】
また、近年ホンダワラ類にはフコキサンチンをはじめとする様々な機能性成分が含まれていることが明らかになり、健康増進食材としての需要も高まりつつある。
【０００４】
一般にホンダワラ類の幼胚は、海中での落下速度が大きいため拡散性が小さく、投石やコンクリート製藻礁などの着生基質を設置しても、これの近隣に母藻となる藻体が存在しなければ幼胚の着生が期待できない。
【０００５】
そこで効率的に藻場を造成するため、屋内で培養した海藻の種苗を移植する方法が考えられている。そしてこの褐藻類の種苗の生産方法としては、例えば特許文献１〜５に記載された技術が知られている。
【０００６】
【特許文献１】特開２０００−２３５８２号公報
【特許文献２】特開２００４−６５号公報
【特許文献３】特開２００４−３５７６１３号公報
【特許文献４】特開２００６−４２６８７号公報
【特許文献５】特開２００７−１３５５２３号公報
【０００７】
特許文献１に記載された海藻種苗の生産方法は、種苗糸などの種苗着生基材に海藻の胞子を着生させて発芽させた後に、その種苗着生基材をそのまま担体に装着して、さらに育成する方法が開示されている。
【０００８】
特許文献２は海藻の着生部材に関するもので、複数の線状体が表面に突出するシート状の基材に海藻の受精卵や遊走子を着生させて、海藻種苗を育成する方法が開示されている。
【０００９】
特許文献３は藻場造成方法に関するもので、表面が粗い多孔質の基材に海藻の胞子を付着させる方法が開示されている。
【００１０】
特許文献４は海藻類種苗の生産方法に係るもので、太径のロープを平板状に束ねた集合体を海水中に設置して、その表面に海藻の生殖細胞などを付着させて育成する方法が開示されている。
【００１１】
特許文献５は海藻種苗の生産方法に関するもので、海水の比重と等しい小ブロック状の海藻育成基質に海藻の幼胚を播種し、幼体になるまで培養し、培養後の基質をそのまま海水中で浮遊状態を維持されるように攪拌しながら育成する方法が開示されている。
【発明の開示】
【発明が解決しようとする課題】
【００１２】
上記した各特許文献に記載された各海藻種苗の育成方法にあっては、いずれも平板状、もしくは紐状の基質の上に直接播種した海藻の受精卵や胞子などが、もっぱら基質上の凹凸を頼って、自ら着生することを期待する方法である。
【００１３】
この方法は、コンブ類のように付着器の発達が早く、基質への付着力が強い海藻類の種苗生産には適しているものの、ホンダワラ類のような付着器の発達が遅い藻体の種苗を生産する場合には、藻体が基質に活着する前に、基質から脱落してしまう頻度が極めて高いという問題がある。
【００１４】
本発明は上記のことに鑑みなされたもので、ホンダワラ類の種苗の基質への着生率を向上させて、幼体を確実に基質に活着させた種苗として培養育成して海域での藻場造成やホンダワラ類の養殖に適した良質な海藻の種苗生産方法を提供することを目的とするものである。
【課題を解決するための手段】
【００１５】
上記目的を達成するために、本発明に係る海藻種苗の生産方法は、受精卵から繊維状の仮根が伸長して、付着器表層細胞が形成される前、もしくは付着器表層細胞が形成され始めた直後のホンダワラ類の幼体を一次着生基質に固定する。
【００１６】
また、前記一次着生基質に固定されたホンダワラ類の幼体を、さらに一次着生基質ごと二次着生基質に固定する。
【００１７】
そして、前記一次着生基質または前記二次着生基質に固定したホンダワラ類の幼体の付着器が、それぞれ一次着生基質または二次着生基質に活着する。
【００１８】
さらに本発明に係る海藻種苗の生産方法は、受精卵から繊維状の仮根が伸長して、付着器表層細胞が形成される前、もしくは付着器表層細胞が形成され始めた直後のホンダワラ類の幼体を一次着生基質に固定し、前記一次着生基質に固定したホンダワラ類の幼体を、仮根や付着器表層細胞が一次着生基質に活着するまで培養し、上記幼体が活着した一次着生基質を二次着生基質に固定し、二次着生基質に固定された幼体の付着器が二次着生基質に活着するまで培養するようにしている。
【００１９】
そして上記海藻種苗の生産方法において、一次着生基質が撚り糸または組み糸であり、この糸の繊維の間に幼体の仮根を挟み込んで固定するようにしており、また二次着生基質が板状であり、この二次着生基質に設けた固定部に一次着生基質を固定するようにしている。
【発明の効果】
【００２０】
上記した本発明に係る海藻種苗の生産方法によれば、基質に強固に活着した海藻種苗を生産することができ、特に（１）強い付着力が得られること、（２）適切な密度で培養することが可能であること、（３）天然着生した藻体よりも早い成熟が見込めること、（４）確実な種苗生産であること、（５）栄養繁殖の可能性があること、（６）取り扱いの簡便性があること等の作用効果を奏することができるものである。
【００２１】
すなわち、（１）強い付着力が得られることは、従来の移植個体による藻場造成においては、移植個体が基質に定着する前に剥離脱落してしまうことによる高い初期減耗率が課題であったが、本発明の方法では基質への付着力が十分に強い海藻種苗を生産することができるため、着生の効率が非常に高く、剥離脱落による初期減耗を減少させることができることによるものである。また、従来の方法で生産した海藻種苗では、剥離脱落してしまうような波当たりの強い海域にあっても海藻の種苗を移植することも可能となる。
【００２２】
（２）適切な密度で培養することが可能であることは、従来のような海藻種苗の生産方法にあっては、藻体の生長に伴い基質上で次第に過密になり、培養中の藻体が光や栄養塩などを巡る過度の競争にさらされて、個体数の減少や生長不良に陥っていたが、本発明の方法にあっては、仮根の伸長が始まった幼胚を単離して基質に付着させていることから、減耗や生長不良を生じさせないように培養密度を調節しながら培養することが可能であることによるものである。
【００２３】
（３）天然着生した藻体よりも早い成熟が見込めることは、本発明の方法にあっては、より大型に生長させた海藻の種苗を海域に移植することができるため、その後の生長も促進され、通常、着生から２年目以降でなければ成熟が始まらない海藻種であっても、本発明方法における移植藻体では１年以内に成熟が始まることも見込めることによるものである。すなわち、移植した藻体は各地先において、より早く母藻として機能することになり、周辺海域へのすみやかな藻場の拡張が期待できる。
【００２４】
（４）確実な種苗生産であることは、本発明の方法にあっては培養中の初期減耗が少ないため、入手できる受精卵数が限られているような藻体であっても、それぞれを確実に移植用の種苗に生長させることが可能となることによるものである。
【００２５】
（５）栄養繁殖の可能性があることは、本発明の方法にあっては、付着器が一次着生基質や二次着生基質にしっかりと活着していることから、仮に波浪などにより移植藻体の葉状部が流失したとしても、基質上には付着器が残る可能性が高く、その付着器から藻体が栄養繁殖によって発生して生長することが期待できることによるものである。
【００２６】
（６）取り扱いの簡便性があることは、本発明の方法にあっては、一次着生基質は撚り糸もしくは組み糸であり、二次着生基質は板状の小片であることから、軽量で小型の海藻種苗を作成することが可能であり、移植先までの輸送コストを低減することができ、移植作業の際の取り扱いも簡便であることによるものである。
【発明を実施するための最良の形態】
【００２７】
図１はホンダワラ類（ウガノモク）のライフサイクルを示すもので、雌雄異体の成体の枝の先端部に形成されている雌の生殖器床の表面に放出された卵が雄の生殖器床から放出された精子にて受精して受精卵となり、卵割を経て繊維状仮根を有する一次仮根胚となり、ついで繊維状仮根が増加した二次仮根胚、主軸形成体に生長し、さらに上記繊維状仮根上に付着器表層細胞が発生して付着器に生長した付着器形成体となって、この付着器にて基質に固定されて上記成体へと生長する。
【００２８】
上記ホンダワラ類のライフサイクルにおいて、受精卵から一次仮根胚までの大きさは１ｍｍ未満であり、二次仮根胚から主軸形成体までの大きさは１ｃｍ未満である。
【００２９】
次に本発明の実施の形態を図２から図６に基づいて説明する。
【００３０】
野外（海中）から成熟して受精している卵が表面に付着している雌の生殖器床１を採集して、オートクレーブで滅菌した濾過海水を入れたシャーレ（容器）２の中に入れる。シャーレ２に入れた滅菌濾過海水内で、生殖器床１の表面をカバーガラス３の縁辺部などでこそぐことにより、生殖器床１の表面に付着している受精卵４をシャーレ２内に採取する（図２）。
【００３１】
採取した受精卵４は、滅菌濾過海水ですすぎながら洗浄して珪藻などの夾雑物を取り除く。
【００３２】
次に滅菌濾過海水に栄養塩類を添加した培養海水をシャーレ２に満たし、その中に上記受精卵４を互いに接触しないような密度で播種する（図３）。この受精卵４を播種したシャーレ２を適切な温度に設定した培養庫内で、受精卵から繊維状の仮根が伸長して付着器表層細胞が形成され始めた直後の幼体（二次仮根胚、もしくは主軸形成体）になるまで静置培養する。この静置培養中は、幼体が流れ出さないように注意を払いながら１週間に１度以上培養海水を交換する。
【００３３】
付着器表層細胞が形成される前、もしくは付着器表層細胞が形成され始めた直後に、繊維状の仮根が伸長した幼体（二次仮根胚、もしくは主軸形成体）を、静置培養していたシャーレの底面から、仮根細胞を損傷しないように採取して単離する。
【００３４】
単離した幼体５の繊維状二次仮根６の一部を一次着生基質７に挟み込んで固定する（図４（ａ）、（ｂ））。この一次着生基質７は、例えば４〜１２号の３本撚りのクレモナ（商品名、以下同様）撚り糸が挙げられる、このクレモナ撚り糸の撚りを戻して、繊維の間に幼体５の仮根６の一部を挟み込む。なお、この一次着生基質７は組み紐であったり、紐状の繊維であってもよい。
【００３５】
一次着生基質７に挟み込んだ後、この一次着生基質７上に幼体５の付着器が活着するまで、上記培養海水中で培養する（図５）。
【００３６】
一次着生基質７に挟み込んだ幼体５の仮根６上に、付着器表層細胞が形成されて、一次着生基質７に付着器が活着したら、この幼体５を一次着生基質７ごと二次着生基質８の凹部に揺動しないようにしっかりと固定する。
【００３７】
図６はその様子を示すもので、これの（ａ）図に示すように、二次着生基質８は、樹脂にて形成されており、例えば厚さ３ｍｍの塩化ビニール板で、一次着生基質７として用いたクレモナ撚り糸の太さと等しい直径の穴９が４個１列に並べて設けてあり、その中央寄りの２個の穴は、上記クレモナ撚り糸の太さよりもやや浅い溝１０でつながっている。そして（ｂ）、（ｃ）図に示すように、塩化ビニール板上の溝１０にクレモナ撚り糸に活着した幼体５をクレモナ撚り糸ごとはめ込んで、これの両側のクレモナ撚り糸を中央寄りの穴から裏側へ通し、ついで両端側の穴から表側へ通すことにより、上記幼体５は一次着生基質７ごと二次着生基質８の溝１０内に固定される。
【００３８】
一次着生基質７ごと二次着生基質８に固定された幼体５は、その後上記培養海水中で付着器が二次着生基質８に伸展して活着するまで培養して、ホンダワラ類の海藻種苗を生産する。
【００３９】
上記培養工程において、培養容器内に付着珪藻やラン藻などが混入して増殖すると、海藻種苗の生長や付着器の発達に悪影響を与える可能性があるので、必要に応じて培養容器内の内部や培養中の海藻種苗の表面のクリーニングを行う。また、珪藻やラン藻などの夾雑物の混入をなるべく少なくするために、培養に使用する器具や材料は予めオートクレーブで滅菌したものを使用する。
【００４０】
以下に実施例を示して本発明をより詳細に説明するが、以下の実施例によって本発明が限定されるものではない。
【実施例１】
【００４１】
この実施例１では、ホンダワラ属フシスジモクを材料として実施した。野外から成熟した雌の生殖器床を採集して、直径１８０μｍの受精卵を得た。この受精卵を、直径９０ｍｍ、深さ２０ｍｍのプラスチックシャーレに、シャーレあたり３０〜５０個になるように播種し、ついでオートクレーブで滅菌した濾過海水１０００ｍｌに対して、藻類用培養液Ｇｒｕｎｄ  １ｍｌを添加してなる培養海水を入れた。そしてこのシャーレを１５℃に設定した培養庫の中に静置した。
【００４２】
上記培養庫内の照明は、白色蛍光灯を光源として光量子束密度２４０μＥ／ｍ２／ｓで、明期１２時間／暗期１２時間に設定した。また、培養海水は１週間に１度交換した。
【００４３】
３週間後、藻長が３〜７ｍｍまで生長した幼体を単離してこれの繊維状二次仮根の一部を一次着生基質となる１２号のクレモナ撚り糸の撚りの間に挟み込んだ。そしてこの幼体を、栄養塩を添加した滅菌濾過海水中で、幼体の付着器がクレモナ撚り糸上に活着するまで培養した。この間に横３０ｍｍ、縦２５ｍｍ、厚さ３ｍｍの塩化ビニール板に、直径２ｍｍの４個の穴を１列に穿孔して、その中央寄りの２個の穴を深さが１．６ｍｍの溝でつなげたものをフシスジモク用の二次着生基質として用意した。
【００４４】
４週間後、藻長が１０〜１５ｍｍになり、付着器がクレモナ撚り糸上に活着した藻体を、クレモナ撚り糸ごとこのクレモナ撚り糸を二次着生基質の溝と穴に通すことにより固定した。その後、付着器が二次着生基質に活着するまで、栄養塩を添加した滅菌濾過海水中で培養し、２ヶ月後、藻長が３〜４ｃｍのフシスジモクの海藻種苗が生産できた。
【実施例２】
【００４５】
この実施例２では、ウガノモク属ウガノモクを材料として実施した。野外から成熟した雌の生殖器床を採集して、直径１３０〜１５０μｍの受精卵を得た。この受精卵を、直径９０ｍｍ、深さ２０ｍｍのプラスチックシャーレに、シャーレあたり３０〜５０個になるように播種し、ついでオートクレーブで滅菌した濾過海水１０００ｍｌに対して、藻類用培養液Ｇｒｕｎｄ  １ｍｌを添加してなる培養海水を入れた。そしてこのシャーレを１５℃に設定した培養庫の中に静置した。
【００４６】
上記培養庫内の照明は、白色蛍光灯を光源として光量子束密度２４０μＥ／ｍ２／ｓで、明期１２時間／暗期１２時間に設定した。また、培養海水は１週間に１度交換した。
【００４７】
２週間後、藻長が２〜３ｍｍ程度まで生長した幼体を単離してこれの繊維状二次仮根を一次着生基質となる４号のクレモナ撚り糸の撚りの間に挟み込んだ。そしてこの幼体を、栄養塩を添加した滅菌濾過海水中で、幼体の付着器がクレモナ撚り糸上に活着するまで培養した。この間に横３０ｍｍ、縦２５ｍｍ、厚さ３ｍｍの塩化ビニール板に、直径１．１ｍｍの４個の穴を１列に穿孔して、その中央寄りの２個の穴を深さが１ｍｍの溝でつなげたものをウガノモク用の二次着生基質として用意した。
【００４８】
４週間後、藻長が１０〜１５ｍｍになり、付着器がクレモナ撚り糸上に活着した藻体を、クレモナ撚り糸ごとこのクレモナ撚り糸を二次着生基質の溝と穴に通すことにより固定した。その後、付着器が二次着生基質に活着するまで、栄養塩を添加した減菌海水中で培養し、３ヶ月後、藻長が３〜４ｃｍのウガノモクの海藻種苗が生産できた。
【００４９】
上記した各実施例において、一次着生基質であるクレモナ撚り糸への幼体の付着器の活着工程では、図７（ａ）に示すように、幼体５の仮根を挟み込んだクレモナ撚り糸７ａの両端を結んで輪状にし、これを図７（ｂ）に示すように海藻培養海水が入っている水槽１１内に棒１２で吊り下げて多数並べて収納して培養した。
【００５０】
このようにすることにより、一次着生基質への付着器の活着を省スペースにて行うことができると共に、各幼体５への光の照射を効率よく行うことができた。
【００５１】
また図８は、上記した各実施例において用いた二次着生基質８を示すもので、この二次着生基質８は折り曲げることにより容易に分離可能にして多数連結した状態で板状に成形されており、この基質板Ａの各二次着生基質８に、上記付着器の活着工程を終了した幼体５をクレモナ撚り糸ごと固定する。その後この各基質板Ａを幼体５の固定側を表側にして２枚ずつ背中合わせにして培養海水を入れた培養用水槽に浸漬する。
【００５２】
このようにすることにより、培養用水槽内に多くの幼体を入れることができ、大量培養を行うことができる。
【００５３】
図６（ｃ）に示したように、二次着生基質８に一次着生基質７ごと固定され、この二次着生基質８にて活着するまで培養された海藻種苗は、海藻種苗取り付け器に取り付けられ、この海藻種苗取り付け器を海底に沈設した藻礁に固定することにより藻場が形成される。
【００５４】
図９はその様子を示すもので、海底に沈設する藻礁１３の表面、例えば上面に上記二次着生基質８を取り付けた海藻種苗取り付け器１４をボルトあるいは接着剤にて固定する。
【００５５】
なお、上記した各実施例にて用いた二次着生基質８は、塩化ビニール板にて構成した例を示したが、これに限るものではなく、セラミックや金属等他の材質を用いてもよい。
【００５６】
また、二次着生基質８に一次着生基質７を固定するための手段として、この二次着生基質８に穴９と溝１０を設けた例を示したが、一次着生基質７を固定する手段としては穴や溝に限るものではなく、二次着生基質８にスリットを設け、このスリットに一次着生基質７をはさみ込むようにしてもよく、要は二次着生基質８に固定部を設け、この固定部に一次着生基質７を固定する。
【００５７】
図１０から図１２は上記二次着生基質８（８ａ，８ｂ，８ｃ）の固定部の他例及び固定状態を示すものである。
【００５８】
図１０（ａ），（ｂ）は第１の他例を示すもので、二次着生基質８ａの中央部表面に設けた溝１０の長手方向側にくさび状の切り込み溝１５，１５を設けている。そして上記溝１０にクレモナ撚り糸７ａに活着した幼体５をクレモナ撚り糸７ａごとはめ込むと共に、クレモナ撚り糸７ａの両端を切り込み溝１５，１５にはさみ込んで固定するようになっている。
【００５９】
図１１（ａ），（ｂ），（ｃ）は第２の他例を示すもので、二次着生基質８ｂの中央部表面に設けた溝１０の長手方向両側に、この溝１０まで連通するくさび状の切り込み溝１６，１６と、この切り込み溝１６，１６より溝１０の長手方向の外側に他の切り込み溝１７，１７が設けられている。そして上記溝１０にクレモナ撚り糸７ａに活着した幼体５をクレモナ撚り糸７ａごとはめ込み、ついでクレモナ撚り糸７ａの両端を内側の切り込み溝１６，１６にはさみ込むと共に、裏側から外側の切り込み溝１７，１７に挟み込んでこれを固定するようにしている。
【００６０】
図１２（ａ），（ｂ）は第３の他例を示すもので、二次着生基質８ｃの表面に、裏側でわずかな厚みによって繋がる深さのスリット１８が設けてある。そして二次着生基質８ｃを折り曲げることにより広くなったスリット１８にクレモナ撚り糸７ａごと幼体５をはさみ込んでこれを折り戻すことにより固定するようにしている。
【００６１】
上記した本発明の実施例では、（Ａ）受精卵を静置培養して得られた幼体を一次着生基質に固定する工程と、（Ｂ）上記一次着生基質に固定された幼体を、さらに一次着生基質ごと二次着生基質に固定し、（Ｃ）上記一次着生基質または二次着生基質に固定した幼体の付着器が、それぞれの着生基質に活着する工程を経て海藻種苗を得るようにした例について説明したが、本発明はこのような実施例に限定されるものではない。
【００６２】
すなわち、受精卵を静置培養して得られた幼体を一次着生基質に固定し、この一次着生基質を海中に垂下したロープに結びつけて海中で上記幼体が一次着生基質に活着させると共に所定の大きさまで生長させて海藻種苗としてもよい。
【図面の簡単な説明】
【００６３】
【図１】ホンダワラ類のライフサイクルを示す説明図である。
【図２】受精卵の採取状態を示す斜視図である。
【図３】受精卵の静置培養状態を示す斜視図である。
【図４】（ａ），（ｂ）は幼体を一次着生基質に固定する様子を示す説明図である。
【図５】一次着生基質に幼体が活着した状態を示す説明図である。
【図６】（ａ），（ｂ）は二次着生基質に一次着生基質を取り付ける作用説明図であり、（ｃ）は断面図である。
【図７】（ａ），（ｂ）は一次着生基質に取り付けた幼体の培養作用を示す説明図である。
【図８】二次着生基質に取り付けた幼体の培養作用を示す説明図である。
【図９】海藻種苗取り付け器を用いて藻場を造成する様子を示す斜視図である。
【図１０】（ａ），（ｂ）は二次着生基質の第１の他例を示す斜視図である。
【図１１】（ａ），（ｂ），（ｃ）は二次着生基質の第２の他例を示す斜視図である。
【図１２】（ａ），（ｂ）は二次着生基質の第３の他例を示す斜視図である。
【符号の説明】
【００６４】
１…生殖器床、２…シャーレ、３…カバーガラス、４…受精卵、５…幼体、６…仮根、７…一次着生基質、７ａ…クレモナ撚り糸、８，８ａ，８ｂ，８ｃ…二次着生基質、９…穴、１０…溝、１１…水槽、１２…棒、１３…藻礁、１４…海藻種苗取り付け器、１５，１６，１７…切り込み溝、１８…スリット、Ａ…基質板。
【図１】
2010110243.tif 000003
【図２】
2010110243.tif 000004
【図３】
2010110243.tif 000005
【図４】
2010110243.tif 000006
【図５】
2010110243.tif 000007
【図６】
2010110243.tif 000008
【図７】
2010110243.tif 000009
【図８】
2010110243.tif 000010
【図９】
2010110243.tif 000011
【図１０】
2010110243.tif 000012
【図１１】
2010110243.tif 000013
【図１２】
2010110243.tif 000014